(57)【要約】      （修正有）【課題】コンパクトさを維持しつつ、特にしわを防ぐという改善された衣類保持装置を提供する。【解決手段】主シート２は、その前側表面に、主シートの端部または端部近傍に、基本的に相互に平行に且つ巻き方向に平行に少なくとも２つの延伸嵩上げ部５を備え、衣類保持装置１が巻き取られた時に、実質的に力を加えることなく、鋭く曲げることなくスーツまたは他の衣類を保持するための湾曲された空間が形成される。【選択図】図１ｂ
2020116443.tif 000002
【特許請求の範囲】
【請求項１】
巻き方向に巻くことができる材料からなる主シートと、前記主シートに取り付けられた少なくとも一つの衣類取り付け手段とを備える衣類保持装置であって、
前記主シートは、その前側表面の前記主シートの端部または端部近傍に、基本的に相互に平行に且つ前記巻き方向に平行に少なくとも２つの延伸嵩上げ部を備え、
前記衣類保持装置が巻き取られた時に、実質的に力を加えることなく、鋭く曲げることなくスーツまたは他の衣類を保持するための湾曲された空間が形成されることを特徴とする、衣類保持装置。
【発明の詳細な説明】
【技術分野】
【０００１】
本発明は、請求項１の前文による衣類保持装置に関する。
【背景技術】
【０００２】
このような装置は知られており、スーツやドレスまたはガウンのような衣類を保存したり、及び／又は運搬したりするために使用される。それらの装置により、衣類のコンパクトな保存や運搬及び簡便な取扱いができるという利点がある。
【０００３】
１９９５年３月２０日発行された米国特許第５，６２４，０２６号公報には、種々のタイプの手荷物と共に使用するための衣類保持装置が開示されている。この衣類保持装置は、スーツや他の衣類を完全に巻きつけることができる実質的に円筒形の中空管と、その管の外表面に対して衣類をしっかりと保持するための布地カバーと、その管の外側に対してスーツや他の衣類を保持することができると共に、その管の湾曲に順応するために十分にフレキシブルであるフレキシブルハンガーとを備える。布地カバーは、衣類及びその管を包み込むとともに、その管の外側に対して衣類をしっかりと保持する。衣類は１８０度に折り畳まれる代わりに丸められるので衣類のしわは減少される。円筒の空洞内部は靴のようなかさばり、扱いにくい形状をしたものを運ぶために利用される。スーツ及び衣類が円筒の外側に巻きつけられるという方法（やり方）は、手荷物をコンパクトにし、持ち運び易くする。加えて衣類はもはや折り畳まれる必要やしわを招くことがなく、円筒の外側にやさしく巻きつけられることができる。この製品は、登録商標スカイロール（Skyroller
）として市販されている。
【０００４】
米国特許第５，６２４，０２６号公報による公知の装置は、従来の衣類保持装置を改良している。従来の衣類保持装置は、スーツや他の衣服を２つ折りまたはそれ以上に折り畳むことを必要としており、衣類のそれぞれの部分にほぼ確実にしわを生じさせており、コンパクトでもない。しかしながら、上記の公知の装置でさえも、運搬および／又は保存するスーツまたは他の衣類にしわを生じさせるという欠点を依然として有している。従って本発明の目的は、一方で米国特許第５，６２４，０２６号公報に記載された公知の装置のコンパクトさを維持しつつ、特にしわを防ぐという改善された衣類保持装置を提供することである。
【発明の概要】
【０００５】
この目的は、請求項１の特徴を有する衣類保持装置によって実現される。
【０００６】
なぜならば、主シートは、前記主シートの端部または端部近傍に、基本的に相互に平行にまた前記巻き方向に平行に配置されている少なくとも２つの延伸嵩上げ部をその主シートの前側表面に備えており、その中にスーツまたは他の衣類に適した湾曲した隙間が作られている。この隙間において衣類は大きな力を加えられることなく、また、鋭く折り曲げられずに保持される。結果的に前述の米国特許第５，６２４，０２６号公報に記載されたような公知の衣類保持装置に比べて、衣類にしわや折り目が生じる可能性が少ない。
【０００７】
延伸嵩上げ部は、巻き取られた状態で螺旋形状断面積を有する衣類保持空間が得られるように、好ましくは少なくとも４ｍｍの厚さ、特に９ｍｍより大きい厚みを有する。特に、延伸嵩上げ部は、湿気の侵入が不可能なように、しかし、装置を巻き取るために必要な巻き取り力によって圧迫されないように、装置の端部を閉じるやや弾性の材質から製造される。
【０００８】
本発明による装置の他の利点は、それがほこりや水などを遮断して衣類を保持するロール型装置を作ることを容易にすることであり、結果としてロール型装置により衣類のより良い保護を容易にすることである。
【０００９】
特に、延伸嵩上げ部は湿気吸収材料、紐、部品、または、層を備えても良い。これらの部品は、装置を一度巻き取れば、よごれ、または、湿気が侵入する危険が大変高い場所に置いても装置の密封を保つ。
【００１０】
主シートは、連続的または複数の折り曲げ線で巻き方向に折り曲げ可能である。この実施形態は単純な構造であり、衣類の折り目を極力少なくするため、優れた折り目防止効果がある。
【００１１】
主シートは例えば（補強）繊維で作っても良い。しかし、より硬い材料、ＰＰ、ＰＥ、またはＰＶＣ等のプラスチックが適している。
【００１２】
他のオプションとしては紙、または厚紙、特に段ボール紙を使用する。延伸嵩上げ部は同じまたは異なる紙部材から、あるいは例えば発泡体から形成しても良い。この組合せは大変軽くなるため、郵送による配送、または店頭での持ち帰りに特に適する。
【００１３】
本発明に基づく装置、特に紙製のような軽量バージョンを空きで輸送する場合、しかも、おそらく装置の製造者から販売地点に多量に輸送する場合には、装置はパーツに分けて搬送される。大量の主シートは積み重ねても良く、延伸嵩上げ部は別梱包で搬送しても良く、使用前に両面テープで取り付けても良い。同じことは、例えば、多角形状断面を有するダンボール箱であっても良い管（corus）に関しても言える。このようにして、平らな
荷造りが可能となる。
【００１４】
さらなる他のオプションとしては材料に竹を使用することである。
【００１５】
別の実施形態においては、前記主シートが巻き取られた状態のときに、主シートの外側における２５Ｎ〜３５Ｎの半径方向の外部点荷重を、表面領域のそれぞれの箇所で１０ｍｍを超える変形なしに受けとめるのに十分に高い剛性を、主シートは巻き方向に対して垂直な方向に、巻き方向におけるその長さの少なくとも一部に渡って有している。これらの方策によって、例えば飛行機に乗るときに起こるような普通の旅行状況において、衣類が相互に圧迫されたり、衣類にしわや折れ目が生じる心配をすることがなく、装置を取り扱うことができる。例えば、飛行機旅行において一般的に用いられているように２３ｋｇの重さのスーツケースを本発明による装置の一角によりかからせてもよい。これらの特徴は、少なくとも１つの層が比較的堅い材料である多層の材料からなる主シートだけでなく、単層の材料からなる主シートで実現してもよい。
【００１６】
さらに別の実施形態においては、前記主シートが巻き取られた状態のときに、前述の剛性は、主シートの外側長さに広がる表面領域に渡って均等に分散した２１０Ｎ〜２７０Ｎの半径方向の外部荷重を、表面領域のそれぞれの箇所で１０ｍｍを超える変形なしに受けとめるのに十分である。このことにより、装置の取り扱いにおいて、例えばスーツケースのような他の手荷物をその上に置くことなど多少手荒く取り扱うことができる。
【００１７】
さらなる実施形態では、主シートの一部は主シートの残りの部分より高い剛性を有する。これは、高密度または大きな厚み、他の材料、特別な層、それらの組み合わせによって実現されてもよい。主シートの高密度を有する部分は本発明に基づく装置を巻き取った際に外郭を形成する部分である。
【００１８】
別の実施形態においては、延伸嵩上げ部および緩衝部の少なくとも一つは、巻き方向に垂直な方向に凹部を備えている。この凹部は例えばＶ字状または長方形形状であり、種々の形状や大きさを有してもよい。延伸嵩上げ部の大きさと形状の組み合わせにより、巻き取りは、例えば複数の側面を有する角柱形状のロッドのように区分ごとに生じる。
【００１９】
装置の更なる実施形態においては、延伸嵩上げ部および緩衝部の少なくとも一つは膨らませることができる。これは、装置が使用されていない時、つまり装置が衣類を保持していない時のよりコンパクトな保管および運搬を可能にする。
【００２０】
さらなる実施形態において、主シートは実質的に円筒形管（corus）に連結され、装置
は管（corus）の廻りに巻き取り可能となる。主シートと管（corus）間の連結はヒンジ連結であっても良い。管は装置を床に平に置いた際に装置が自動的に巻き取られることを防ぐおもりの役をしても良く、装置の巻き取りを助ける。管（corus）の半径は主シートと
衣類が管（corus）の周囲に曲げられた際の角度が許容可能な望ましい最小値に制限され
るように選択されても良い。管（corus）は必要とあればその内部にモノを収納可能とな
るように硬く、中空であっても良い。
【００２１】
好ましくは、少なくとも１つの衣類取り付け手段は衣服ハンガーである。衣服ハンガーは装置の巻き方向に柔軟性を有する。これにより、よりコンパクトに巻くことができる。用語「衣服ハンガー」は、装置の中でまたは装置で衣類を運ぶことに適した、主シートに取り付けられるいかなるものをも含む広い意味で解釈できることを注記しておく。特に、（弾性）コード、等が使用されても良い。
【００２２】
一実施形態においては、装置は巻かれていない形状で装置を運ぶことに適したフックを備える。該フックは、衣服ハンガーに一体化されているか、衣服ハンガーに取り付けられている。例えば、ホテルまたは家庭で据え付け状態で装置を吊り下げるためにフックを使用することが可能になる。一方、衣服ハンガーを利用して巻かれていない主シートに対して衣類を吊り下げ、フックによって運ぶことも可能となる。
【００２３】
別の実施形態においては、装置は、主シートの前側表面に取り付けられた２つの衣服ハンガーを備える。さらに、前記２つの衣服ハンガーの間、または１つの衣服ハンガーに取り付けられたフックと同様に、前記２つの衣服ハンガーの間でかつ前記２つの衣服ハンガーに平行となる１つの折り目を、前記主シート内に備える。この実施形態においては、主シートの後側表面が互いに対向するように、主シートを２つの部分に折り畳む、すなわち、それぞれの主シートの前側表面に１つの衣服ハンガーがあるように折り畳むことが可能になる。フックは、戸棚、スタンド、等に装置を吊り下げるために使用できる。それぞれの衣服ハンガーは、１点の衣服を運んでも良い。そのような装置が運ばれるときには、その中で２点の衣服が容易にまっすぐに伸ばされ、その後、容易に巻き取られる。
【００２４】
さらなる実施形態では、主シートは、主シートに取り付けられたカバーシートを有する。該カバーシートは、主シートの前側表面の少なくとも一部を覆い、カバーシートを折り畳むことで主シートを覆わないように作られている。このようなカバーシートは２点の衣服を主シートに巻き取る時に、衣服をさらにしわや折り目から防止するように、２点の衣服を分けるのに適している。あるいは巻き取られる前に衣服の一枚を覆うことにも適している。カバーシートは、また美的機能も有している。
【００２５】
さらなる実施形態において、主シートのそれぞれの延伸嵩上げ部は、より高い延伸嵩上げ部と、より低い延伸嵩上げ部とを有しており、それぞれのより高い延伸嵩上げ部は、端部に最も近い位置にあり、前記カバーシートが前記主シートを覆っているときに、カバーシートは、前記主シートの延伸嵩上げ部のより低い延伸嵩上げ部に載置される。このこと
によって、２点の衣服がそれぞれのコンパートメントで装置に適合しており、その一方でコンパクトな装置であるという利点を有している。緩衝部は、装置が巻き取られた状態のときに、巻き取りの便利なガイドとして、より低い延伸嵩上げ部に載置することができる。
【００２６】
本発明は、以降本発明を限定することなく、単に本発明の説明のために添付図面を参照して好ましい実施形態に基づいて明らかにされる。
【図面の簡単な説明】
【００２７】
【図１ａ】本発明の第１の実施形態を示す説明図であり、吊り下げるために折り畳んだ状態を示す。
【図１ｂ】本発明の第１の実施形態を示す説明図であり、荷造り及び荷ほどきのために広げた状態を示す。
【図２】本発明の第２の実施形態を示す説明図であり、垂れぶた（flap）を有することを除いては、第１の実施形態と同様である。
【図３】本発明の第３の実施形態を示す説明図である。
【図４】第１の実施形態のＡ−Ａの部分の断面を示す断面図である。
【図５】リムを有する垂れぶたを提供する本発明の第４の実施形態の断面を縮尺を考慮せずに概略を示す断面図である。
【図６】巻き取り状態における本発明の衣類保持装置の横から見た断面図である。
【図７】本発明衣類保持装置の段ボールバージョンの管（corus）の展開図である。
【００２８】
図１ａ及び１ｂにおいて、衣類保持装置１は、図１ｂに矢印によって示される巻き方向Ｒに巻くことができる材料からなる主シート２を備える。主シート２に取り付けられているのは、衣服ハンガー３とズボンホルダー４の形状をした２つの衣類取り付け手段である。
【００２９】
主シート２は、２つの延伸嵩上げ部５、５’を主シートの前側表面（図１ｂの上面）に備えている。２つの延伸嵩上げ部は、主シート２の端部に接近して相対的に平行に、かつ、巻き方向Ｒに平行に配置されており、相互の相対距離は約６０ｃｍである。
【００３０】
主シート２は、Ｒ方向におけるその全長に渡って連続的に曲げることができる。代わりに、図示しないが、主シートは硬い部分と、それぞれが巻き方向Ｒに直交するように配置されている複数個の、例えば５個の、折り曲げ線とを備えていても良い。
【００３１】
主シート２は、主シートの前側表面上の前記少なくとも２つの延伸嵩上げ部５、５’の反対側の位置となる主シートの後側表面上に、少なくとも２つの緩衝部６、６’を備える。
【００３２】
図４において、図１に示す実施形態の一部が断面で示される。ここで、主シート２は目視でき、その前側表面上の延伸嵩上げ部５および主シートの後側表面上の緩衝部６も同様に目視できる。緩衝部６は、延伸嵩上げ部５の形の補完的な形をしており、凸部８と協働する凹部７を有する。結果的にこれらの手段によって、巻き取り中は、その巻き取りを誘導する形で緩衝部６は延伸嵩上げ部５と協働する。延伸嵩上げ部５’および緩衝部６’も同様の働きをする。この実施形態において、延伸嵩上げ部５、５’および緩衝部６、６’は、主シート２の長さ方向の大部分に渡って延伸していることに留意されたい。それらは、最後に巻き取られる部分においてのみ存在しないため、装置のカバーとしても役立つ。図示しないが、主シート２は、後側表面に強化材料を備えており（図１ｂを参照）、これにより巻き方向に垂直な方向における高い剛性を提供している。これによって、衣類をその中に収納して装置が巻き取られた状態において、例えば装置をバスで、空港で、飛行機
で、そして車などで運ぶ間、装置の内部で巻き取られている衣服が実質的に変形することなく、また変形に伴うしわや他の損傷もなく通常の取り扱いに耐えることができるように、その外側領域で十分な強度を有している。
【００３３】
衣服ハンガー３はスーツを掛けても、もちろん、儀式用のドレスを含むドレス、または他の１点の衣服を運んでもよい。同様に、ズボンホルダー４にはズボン以外の他のものを掛けてもよい。衣服ハンガー３は、横方向において（Ｒは縦方向である）十分な剛性と強度とを提供する一方で、主シート２が巻き取られたり曲げられたりすることを許容するに足るフレキシビリティを維持することができるように、その中にロッドを有する発泡体から作られている。
【００３４】
加えて、衣服ハンガー３はフック９と一体化されており、フック９により装置を巻かれていない形態に変えることができ、これにより、装置を戸棚またはスタンド（図示せず）に吊るしてもよい。
【００３５】
衣服ハンガー３及びズボンホルダー４は、共に主シート２の前側表面に取り付けられ、そして主シート２における端部１０と一致する折り目が衣服ハンガー３とズボンホルダー４との間に平行に設けられている。主シート２の開口（図示せず）によって、主シートが巻かれた状態のときにフック９を外側に引き出すことができる。このため、フックによって人が装置を巻かれた状態で運ぶことや、フックによって装置を吊り下げることが可能になる。詳細は述べないが、しかし目下のところ、装置を水平方向巻きまたは垂直方向巻きのいずれかに巻き取られた状態で運ぶために、それぞれに巻き取られた状態で装置を固定するための種々のストラップ及び取っ手（grips）がある。両方の（水平、垂直の）位置
があるのは状況や環境次第で有益になりうる。特に、巻かれた状態で装置の端部あるいは端部付近に取り付けられるショルダーストラップについて述べる（図示せず）。ショルダーストラップは、その人が肩の上にそのストラップをあてがうことによって装置を都合よく運ぶことができるように十分に長く、巻き取られた装置が水平方向に吊るされている間、装置がお尻の高さまたはほぼその高さにある。
【００３６】
管１８は、巻き始めとなる主シート２の端にある。このような管は、より大きな半径を有して巻き取るために便利であり、結果的に衣類のしわはより小さくなる。管は、より大きな容積が与えられれば、ネクタイまたは靴のような物体をその中に保持するためにも便利である。
【００３７】
図２は図１に示す実施形態とほとんど同一の実施形態を示すが、主シート２に取り付けられた薄い透明なプラスチックシートの形態をしたカバーシート１２を追加で備えることだけが異なる。主シート２の前側表面は端部１０に一致する折り目によって２つの部分に分けられ、カバーシート１２は、主シート２の上に折り畳まれているときに、この２つ部分の内の１つ、すなわち、一着の衣類用に相当する部分を覆う。
【００３８】
図５における本発明の第４の実施形態において、主シートの延伸嵩上げ部のそれぞれがより高い延伸嵩上げ部１３とより低い延伸嵩上げ部１４とを有しており、ここで、それぞれのより高い延伸嵩上げ部は端部に最も近い位置にある。カバーシートまたは垂れぶた１５は、装置が巻き取られた時に、主シート２の延伸嵩上げ部のより低い延伸嵩上げ部１４の主シート２から離れた側の面の上に置かれる２つの嵩上げリム１６を有する。図示しないが、垂れぶたに取り付けられたハンガーがリム１６と同じ側にある。本実施形態においては、装置が巻き取られるとき、２着の衣服を装置内部の分離されたコンパートメント内に保存できる。
【００３９】
緩衝部１７は主シート２の後側表面に取り付けられている。装置が巻き取られた状態で
緩衝部１７はリム１６の上に載置される。
【００４０】
垂れぶた１５の端部の（図示しない）押しボタンの存在により、垂れぶたは主シートから取り外し可能であり、２つのより小さなコンパートメント代わりに、装置が巻かれていない状態で単一のより大きなコンパートメントを提供するために、例えばリム１６が主シートに面するように垂れぶたを逆さまに取り付けることができる。
【００４１】
この実施形態においては、垂れぶた１５は伸縮性物質から作られており、これが装置のしわ防止効果を高める。
【００４２】
リム１６は省略してもよく、代わりに、緩衝部１７の高さが増大してもよいことに留意されたい。この方法では垂れぶた１５はもはやリムによって補強されないが、この機能は、例えば、押しボタンが引き受けてもよい。特に伸縮物質が垂れぶた１５に使用されているときに、垂れぶたは押しボタンによってより低い延伸嵩上げ部１４に取り付けられる。
【００４３】
３つの図示した実施形態は、また、主シート２を自動的に巻き取り、または伸長する手段を備えても良い。これらの手段は、延伸嵩上げ部５、５’および／又は、緩衝部６、６’と一体化しても良い。このような手段は本来知られており、それらは、例えば、ＲＦアンテナを巻き戻す人工衛星やブレスレットに適用されている。
【００４４】
図６は本発明に基づく、巻き取られた状態での衣類保持装置の横から見た断面図２０を示す。ヒンジ２２によって主シートが接続されているオプションである管（corus）２１
が（破線で）図示されている。閉じた状態において、スーツ２４または他の衣類を、その上に特に力を加えることなく、鋭角に折り曲げることなく保持するための螺旋形状断面を有する湾曲空間２３を、延伸嵩上げ部が形成する。
【００４５】
図示された実施形態に対して、特許請求の範囲を逸脱することのない変更が可能である。例えば、主シートは巻かれた状態の対称軸と平行となるように用意された竹筒から作っても良い。さらに、延伸嵩上げ部および緩衝部はある程度圧縮可能であっても良く、主シートの巻き取り方向において変化する高さを有していても良い。
【００４６】
図７は本発明の段ボールバージョンの管の展開図２５を示す。展開図は主シートと一体化されても良く、例えば接着表面部２６によって主シートに取り付けても良い。管（corus）はそこから多角形状を形成するための折り目を有する。展開図であるため、管（corus）は特に多量に積み上げて容易に輸送可能である。巻き上げた状態、または折り曲げた状態において、三角形の延伸部２７は側壁を形成するように折り曲げ線２８で折り曲げられる。管（corus）を折り曲げ状態に固定するために、延伸部２９をスリット３０内で留め
ることが可能である。
【図１ａ】
2020116443.tif 000003
【図１ｂ】
2020116443.tif 000004
【図２】
2020116443.tif 000005
【図３】
2020116443.tif 000006
【図４】
2020116443.tif 000007
【図５】
2020116443.tif 000008
【図６】
2020116443.tif 000009
【図７】
2020116443.tif 000010